(57)【要約】【課題】正確なパラメータを短時間且つ安価にガスメータに設定できるガスメータ用パラメータ自動設定システム及びガスメータを提供する。【解決手段】ガス流路２１に配置され、ガスの流量を検出する流量センサ３３を有するガスメータ１０と、ガスメータ１０のガス流路２１に供給されるガスの流量を制御する流量制御装置１２と、流量制御装置からガスメータのガス流路に供給されるガスの流量を測定する基準流量計１３と、ガスメータで計量されるガスの流量が基準流量計で測定されたガスの流量に近づくようにパラメータを設定し設定されたパラメータをガスメータに送信する設定器１４とを備え、ガスメータは、設定器からのパラメータを記憶するメモリ３２を有し、流量センサによって検出されたガスの流量を、メモリに記憶されているパラメータに従って補正することによりガスの流量を計量する。【選択図】      図１
2004279126.tif 000002
【特許請求の範囲】
【請求項１】
ガス流路に配置され、ガスの流量を検出する流量センサを有するガスメータと、
前記ガスメータの前記ガス流路に供給されるガスの流量を制御する流量制御装置と、
前記流量制御装置から前記ガスメータの前記ガス流路に供給されるガスの流量を測定する基準流量計と、
前記ガスメータで計量されるガスの流量が前記基準流量計で測定されたガスの流量に近づくようにパラメータを設定し設定されたパラメータを前記ガスメータに送信する設定器とを備え、
前記ガスメータは、前記設定器からの前記パラメータを記憶するメモリを有し、前記流量センサによって検出されたガスの流量を、前記メモリに記憶されているパラメータに従って補正することによりガスの流量を計量することを特徴とするガスメータ用パラメータ自動設定システム。
【請求項２】
前記設定器は、
連続する複数の流量帯域の各々に対応する流量のガスが前記ガスメータに順次供給されるように前記流量制御装置を制御し、
前記複数の流量帯域の各々について、前記ガスメータで計量されるガスの流量が前記基準流量計で測定されたガスの流量に近づくように前記パラメータを設定することを特徴とする請求項１記載のガスメータ用パラメータ自動設定システム。
【請求項３】
前記ガスメータは、前記ガス流路が直列に接続された複数のガスメータから成り、
前記設定器は、前記複数のガスメータの各々で計量されるガスの流量が前記基準流量計で測定されたガスの流量に近づくように前記複数のガスメータの各々に対して前記パラメータを設定することを特徴とする請求項１又は請求項２記載のガスメータ用パラメータ自動設定システム。
【請求項４】
前記流量センサは、熱式フローセンサからなることを特徴とする請求項１乃至請求項３のいずれか１項記載のガスメータ用パラメータ自動設定システム。
【請求項５】
前記流量センサは、超音波センサからなることを特徴とする請求項１乃至請求項３のいずれか１項記載のガスメータ用パラメータ自動設定システム。
【請求項６】
ガス流路に配置され、ガスの流量を検出する流量センサと、
外部からの指示に応答して、前記流量センサで計量されるガスの流量が、所定の基準流量に近づくようにパラメータを設定する制御部と、
前記制御部で設定された前記パラメータを記憶するメモリとを備え、
前記制御部は、前記メモリに記憶されているパラメータに従って、前記流量センサによって検出されたガスの流量を補正することによりガスの流量を計量することを特徴とするガスメータ。
【請求項７】
前記制御部は、
外部から供給される、連続する複数の流量帯域の各々に対応する流量のガスについて、前記計量されるガスの流量が前記複数の流量帯域の各々の基準流量に近づくように前記パラメータを設定することを特徴とする請求項６記載のガスメータ。
【請求項８】
前記流量センサは、熱式フローセンサからなることを特徴とする請求項６又は請求項７記載のガスメータ。
【請求項９】
前記流量センサは、超音波センサからなることを特徴とする請求項６又は請求項７記載のガスメータ。
【発明の詳細な説明】
【０００１】
【発明の属する技術分野】
本発明は、ガスメータ用パラメータ自動設定システム及びガスメータに関し、特にガスメータに対するパラメータの設定を容易にする技術に関する。
【０００２】
【従来の技術】
従来、マイクロコンピュータを利用してガスの流量を流量センサで検出する他に、遮断や各種の警告を行うガスメータが知られている。このガスメータは、更に、遮断及び警報事由を表示すると共に、遮断及び警報発生履歴をメモリに順次記憶する。そして、センタからメモリの内容を通信機能により読み出すことにより、遮断及び警報発生原因の推定、検証、確認できるようになっている。
【０００３】
ところで、このようなガスメータで使用されている流量センサの特性は非線形であり、流量帯域によって実際の流量値と流量センサで検出された流量値とが異なる。このため、流量センサから得られた流量信号を補正する必要がある。この補正は、ガスメータを製品として出荷する前に、ガスメータにパラメータを初期設定することにより行われる。
【０００４】
このパラメータの初期設定を行う場合、図７に示すように、ガスメータ１１０の他に、流量発生源１１１、流量制御装置１１２、基準流量計１１３及び設定器１１４が用いられる。流量発生源１１１は、例えばポンプから成り、ガスを送出する。流量発生源１１１から送出されたガスは、流量制御装置１１２に供給される。流量制御装置１１２は、流量発生源１１１からのガスを入力し、図示しない操作部で人手によって設定された流量のガスを送出する。流量制御装置１１２から出力されたガスは、基準流量計１１３を経由してガスメータ１１０に送られる。
【０００５】
基準流量計１１３は、流量制御装置１１２から送られてくるガスの流量を高精度で計測し、図示しない表示部に表示する。同様に、ガスメータ１１０は、流量制御装置１１２から基準流量計１１３を経由して送られてくるガスの流量を計測し、図示しない表示部に表示する。ユーザは、基準流量計１１３の表示部を見ながら、流量制御装置１１２の操作部を操作して所望の流量のガスがガスメータ１１０に送られるように設定する。
【０００６】
この状態で、ユーザは、基準流量計１１３の表示部の指針値とガスメータ１１０の表示部の指針値とを目視により確認し、これらが相違する場合は、パラメータの変更を行う。パラメータの変更は、ガスメータ１１０との間で通信する機能を有する設定器１１４を用いて行われる。即ち、ユーザは設定器１１４を操作して、新たなパラメータをガスメータ１１０に送信する。これにより、ガスメータ１１０のパラメータが変更される。
【０００７】
以上のようにしてパラメータを変更した後、ユーザは、基準流量計１１３の表示部の指針値とガスメータ１１０の表示部の指針値とを目視により確認し、必要に応じて更に上述した動作を繰り返す。そして、この操作が、流量の複数の帯域の全てについて実施されることにより、パラメータの初期設定が完了する。
【０００８】
なお、図７に示した、従来のガスメータ用パラメータ自動設定システムの関連の技術として例えば特許文献１がある。
【０００９】
【特許文献１】
特開平１１−２８１４５３号公報（第４頁−７頁、第１図）
【００１０】
【発明が解決しようとする課題】
しかしながら、ガスメータに対するパラメータの設定は、上述した方法で行われているので、全ての作業において人手が必要である。その結果、パラメータの設定に多くの時間を要し、出荷のためのコストが高くなる。また、パラメータの正確さを欠き、更には、作業ミスに起因する不具合が発生することも予想される。
【００１１】
本発明は、正確なパラメータを短時間且つ安価にガスメータに設定できるガスメータ用パラメータ自動設定システム及びガスメータを提供することにある。
【００１２】
【課題を解決するための手段】
本発明の請求項１のガスメータ用パラメータ自動設定システムは、上記課題を達成すために、ガス流路に配置され、ガスの流量を検出する流量センサを有するガスメータと、前記ガスメータの前記ガス流路に供給されるガスの流量を制御する流量制御装置と、前記流量制御装置から前記ガスメータの前記ガス流路に供給されるガスの流量を測定する基準流量計と、前記ガスメータで計量されるガスの流量が前記基準流量計で測定されたガスの流量に近づくようにパラメータを設定し設定されたパラメータを前記ガスメータに送信する設定器とを備え、前記ガスメータは、前記設定器からの前記パラメータを記憶するメモリを有し、前記流量センサによって検出されたガスの流量を、前記メモリに記憶されているパラメータに従って補正することによりガスの流量を計量することを特徴とする。
【００１３】
請求項１のガスメータ用パラメータ自動設定システムによれば、設定器は、ガスメータで計量されるガスの流量が基準流量計で測定されたガスの流量に近づくようにパラメータを設定し、設定されたパラメータがガスメータのメモリに記憶される。即ち、ガスメータに搭載されている流量センサに好適なパラメータが自動的に算出されてガスメータに自動的に設定されるので、正確なパラメータを短時間且つ安価にガスメータに設定できる。その結果、出荷のためのコストを低減できる。また、人手を介さないので、正確なパラメータを設定でき、作業ミスに起因する不具合の発生を防止できる。
【００１４】
請求項２のガスメータ用パラメータ自動設定システムでは、前記設定器は、連続する複数の流量帯域の各々に対応する流量のガスが前記ガスメータに順次供給されるように前記流量制御装置を制御し、前記複数の流量帯域の各々について、前記ガスメータで計量されるガスの流量が前記基準流量計で測定されたガスの流量に近づくように前記パラメータを設定するように構成できる。
【００１５】
請求項３のガスメータ用パラメータ自動設定システムでは、前記ガスメータを、前記ガス流路が直列に接続された複数のガスメータから構成し、前記設定器は、前記複数のガスメータの各々で計量されるガスの流量が前記基準流量計で測定されたガスの流量に近づくように前記複数のガスメータの各々に対して前記パラメータを設定するように構成できる。この構成によれば、複数のガスメータに対して一度にパラメータを設定できるので、パラメータの設定に要する時間を短縮できる。
【００１６】
また、請求項４では、ガスメータ用パラメータ自動設定システムにおける前記流量センサは、熱式フローセンサから構成できる。また、請求項５では、前記流量センサは、超音波センサから構成できる。これらの構成によれば、ガスの流量が直接計測されるので、体積流量計のように温度・圧力の補正を行う必要がなく、しかも迅速に検出結果が得られる。その結果、パラメータの設定が短時間で済むという利点がある。
【００１７】
請求項６のガスメータは、ガス流路に配置され、ガスの流量を検出する流量センサと、外部からの指示に応答して、前記流量センサで計量されるガスの流量が、所定の基準流量に近づくようにパラメータを設定する制御部と、前記制御部で設定された前記パラメータを記憶するメモリとを備え、前記制御部は、前記メモリに記憶されているパラメータに従って、前記流量センサによって検出されたガスの流量を補正することによりガスの流量を計量することを特徴とする。
【００１８】
この請求項６のガスメータによれば、前記ガスメータ用パラメータ自動設定システムと同様に、流量制御装置と基準流量計とを追加してガスメータ用パラメータ自動設定システムを構成することにより、流量センサに好適なパラメータが自動的に算出されてガスメータに自動的に設定されるので、正確なパラメータを短時間且つ安価にガスメータに設定できる。その結果、出荷のためのコストを低減できる。また、人手を介さないので正確なパラメータを設定でき、作業ミスに起因する不具合の発生を防止できる。
【００１９】
請求項７のガスメータでは、前記制御部は、外部から供給される、連続する複数の流量帯域の各々に対応する流量のガスについて、前記計量されるガスの流量が前記複数の流量帯域の各々の基準流量に近づくように前記パラメータを設定するように構成できる。
【００２０】
請求項８では、前記流量センサは、熱式フローセンサから構成できる。また、請求項９では、前記流量センサは、超音波センサから構成できる。これらの構成によれば、ガスの流量が直接計測されるので、体積流量計のように温度・圧力の補正を行う必要がなく、しかも迅速に検出結果が得られる。その結果、パラメータの設定が短時間で済むという利点がある。
【００２１】
【発明の実施の形態】
以下、本発明の実施の形態に係るガスメータ及びガスメータ用パラメータ自動設定システムを図面を参照しながら説明する。
【００２２】
（第１の実施の形態）
図１は本発明の第１の実施の形態に係るガスメータ用パラメータ自動設定システムの構成を示すブロック図である。ガスメータ用パラメータ自動設定システムは、ガスメータ１０、流量発生源１１、流量制御装置１２、基準流量計１３及び設定器１４から構成されている。
【００２３】
流量発生源１１は、例えばポンプから成り、ガスを送出する。流量発生源１１から送出されたガスは、ガス流路２０を通って流量制御装置１２に供給される。
【００２４】
流量制御装置１２は、流量発生源１１からガス流路２０を通って供給されるガスの流量を、設定器１４からの制御信号に応じて自動的に調整して出力する。流量制御装置１２は、高精度でガスの流量を調整できるように構成されている。流量制御装置１２で流量が調整されたガスは、ガス流路２１に送出される。ガス流路２１は、基準流量計１３及びガスメータ１０を貫通するように設けられている。従って、基準流量計１３を流れるガスの流量とガスメータ１０を流れるガスの流量とは同じである。
【００２５】
基準流量計１３は、流量制御装置１２からガス流路２１を通って供給されるガスの流量を高精度で計測する。基準流量計１３で計測されたガスの流量を表す基準流量信号は、設定器１４に送られる。
【００２６】
ガスメータ１０は、ガスメータ用パラメータ自動設定システムでパラメータが設定される対象である。ガスメータ１０の詳細は後述するが、流量制御装置１２からガス流路２１を通って供給されるガスの流量を、内部の流量センサ３３で検出し、流量信号として設定器１４に送る。また、ガスメータ１０は、設定器１４から送られてくるパラメータ設定データによって、パラメータが設定される。
【００２７】
設定器１４は、流量制御装置１２から出力されるガスの流量を制御するための制御信号を生成し、流量制御装置１２に送る。また、設定器１４は、基準流量計１３からの基準流量信号及びガスメータ１０からの流量信号に基づいて、ガスメータ１０に設定すべきパラメータを算出する。更に、設定器１４は、ガスメータ１０との間で無線又は有線でデータを送受する通信機能を有する。設定器１４は、この通信機能を用いて、ガスメータ１０から流量信号を受信し、また、ガスメータ１０に対してパラメータ設定データを送信する。設定器１４の動作については、後にフローチャートを参照しながら詳細に説明する。
【００２８】
次に、ガスメータ１０の詳細を説明する。図２はガスメータ１０の構成を示すブロック図である。ガスメータ１０において、制御部３１には、メモリ３２、流量センサ３３、圧力センサ３４、感震器３５、遮断部３６、復帰スイッチ３７、表示器３８及び通信インタフェース（Ｉ／Ｆ）３９が接続されている。
【００２９】
制御部３１は、例えばマイクロコンピュータから構成されており、ガスメータ１０の全体を制御する。制御部３１は、流量センサ３３からの信号に基づいて需要家のガスの使用量を計測し、表示器３８に表示すると共に、通信インタフェース３９を介してセンタに送る。また、制御部３１は、流量センサ３３、圧力センサ３４及び感震器３５からの信号を常時監視し、これらの信号に基づいて異常が発生したことを判断した場合は、遮断部３６に制御信号を送ってガス流路２１を遮断し、また、表示器３８及び通信インタフェース３９に制御信号を送ることにより、その旨を需要家及びセンタに通報する。
【００３０】
メモリ３２は、制御部３１によってデータの書き込み及び読み出しが行われる。メモリ３２には、設定器１４によって設定されたパラメータが記憶される。このパラメータは、流量センサ３３で検出された検出信号を補正するために使用される。詳細については、後述する。
【００３１】
流量センサ３３は、ガスメータ内のガス流路２１を流れるガスの流量を検出し、検出結果を制御部３１に送る。制御部３１は、流量センサ３３からの信号に基づいて、需要家のガスの使用量を算出すると共に、ガス漏れ等によりガスの流量が異常になった場合にガスの供給を停止させる。流量センサ３３としては、熱式フローセンサ、超音波センサ等を用いることができる。
【００３２】
熱式フローセンサは、シリコンの基台の上に形成されたヒータ、上流側温度センサ、下流側温度センサ及び周囲温度センサから構成されている。ヒータは、基台のほぼ中央に配置され、上流側温度センサ及び下流側温度センサはヒータの両側にそれぞれ配置され、周囲温度センサは、基台の周辺部に配置されている。熱式フローセンサは、上流側温度センサが気体の流路の上流側になるようにしてガス流路に設置される。
【００３３】
熱式フローセンサは、周囲温度センサで検出される温度より一定温度だけ高くなるようにヒータを駆動すると、流れのないときはヒータの両側の温度分布は対象になり、上流側温度センサと下流側温度センサで検出する温度は等しくなる。一方、流れが生じると、ヒータの両側の温度分布の対象性が崩れ、上流側温度センサで検出される温度は低下し、下流側温度センサで検出される温度は上昇する。この温度差をブリッジ回路で検出することにより、流れに応じた電気信号が得られ、流量の検出信号として使用される。この熱式フローセンサによれば、気体の質量流量が直接計測されるので、体積流量計のように温度・圧力の補正を行う必要がなく、しかも迅速に検出結果が得られる。
【００３４】
超音波センサは、気体の流路内に設置される送信機と受信機とから構成されている。超音波センサでは、送信機から送出された超音波が受信機に到達するまでの時間は、流路を流れる気体の速度に応じて変化することを利用し、この変化を検出して検出信号とする。この超音波センサによれば、上記熱式フローセンサと同様の効果が得られる。
【００３５】
圧力センサ３４は、ガス流路２１内のガスの圧力を検出し、圧力信号として制御部３１に送る。感震器３５は、ガスメータ１０に加えられた振動を検出し、感震信号として制御部３１に送る。
【００３６】
遮断部３６は、制御部３１からの制御信号に応じて、ガスメータ１０内のガス流路２１の途中に設けられた遮断弁（図示せず）の開閉を制御する。この遮断部３６は、上述したように、流量センサ３３、圧力センサ３４及び感震器３５からの信号に基づいて異常が発生したことが制御部３１によって判断された場合に、制御部３１からの制御信号に従って遮断弁を閉じる。
【００３７】
復帰スイッチ３７は、遮断弁の開放を指示するもので、復帰スイッチ３７が押されたときに信号を制御部３１に送る。制御部３１は復帰スイッチ３７からの信号に応じて遮断部３６を駆動し、遮断弁を開放させる。
【００３８】
表示器３８は、ＬＥＤ、ＬＣＤといった表示部材から構成されている。表示器３８は、制御部３１からの制御信号に応じて需要家によるガスの積算使用量を表示し、ガス漏れ等の異常が生じた場合に、その旨を表すメッセージを表示する。
【００３９】
通信インタフェース３９は、設定器１４との間で無線又は有線でデータを送受する。また、通信インタフェース３９は、図示しない有線又は無線の回線を介してセンタに接続されている。そして、制御部３１からの制御信号に応じて、需要家によるガスの積算使用量をセンタに送り、また、ガス漏れ等の異常が生じた場合に、その旨を表すメッセージをセンタに送る。
【００４０】
次に、このように構成された第１の実施の形態に係るガスメータ用パラメータ自動設定システムの動作を説明する。
【００４１】
図３は流量センサ３３の非線形な出力特性の補正を説明するための図である。
【００４２】
図３において、横軸はガスメータ出力、即ち流量センサ３３の出力（実際の出力値）を示しており、縦軸は基準流量計出力（真の値）を示している。このため、ガスメータ出力を基準流量計出力となるように補正する補正処理は、複数の流量帯域の各々における流量センサ３３の出力を一次式で直線近似することにより行われる。例えば、流量帯域Ａ、Ｂ、Ｃ、・・・においては、それぞれ「Ｙ＝ａ１Ｘ＋ｂ１」、「Ｙ＝ａ２Ｘ＋ｂ２」、「Ｙ＝ａ３Ｘ＋ｂ３」、・・・で近似される。ここで、Ｘはガスメータ出力であり、Ｙは基準流量出力である。設定器１４は、上記連立１次方程式を解いて、上記係数ａ１、ａ２、ａ３、・・・、ｂ１、ｂ２、ｂ３、・・・を求めて、これらの係数をパラメータとしてガスメータ１０内のメモリ３２に格納する。
【００４３】
次に、第１の実施の形態に係るガスメータ用パラメータ自動設定システムの設定器１４の動作を、図４に示すフローチャートを参照しながら説明する。
【００４４】
設定器１４のスタートスイッチ（図示しない）が押されると、まず、流量設定が行われる（ステップＳ１０）。即ち、設定器１４は、図３に示す流量帯域Ａにおけるパラメータを算出するために、制御信号を流量制御装置１２に送ることにより、流量制御装置１２から流量Ｙ１のガスがガス流路２１に出力されるように設定する。
【００４５】
次に、設定器１４は、基準流量計１３から、ガス流路２１に流れているガスの流量を表す基準流量信号を取得する（ステップＳ１２）。さらに、設定器１４は、ガスメータ１０から流量信号を取得する（ステップＳ１３）。この流量信号は、流量センサ３３で検出された検出流量に基づく信号である。
【００４６】
次に、設定器１４は、ステップＳ１３で得られた流量信号の値がステップＳ１２で得られた基準流量信号の値と一致するようにパラメータを設定する（ステップＳ１４）。即ち、ガスメータ出力の値が基準流量計出力となるようにパラメータである係数ａ，ｂを設定する。このため、図３に示す流量帯域Ａにおいては、「Ｙ＝ａ１Ｘ＋ｂ１」の係数ａ１，ｂ１を求める。この係数ａ１，ｂ１を求めるには、流量帯域Ａにおいて、２つのガスメータ出力Ｘ１１，Ｘ１２に対する２つの基準流量計出力Ｙ１１，Ｙ１２を測定し、例えば「Ｙ１１＝ａ１Ｘ１１＋ｂ１」、「Ｙ１２＝ａ１Ｘ１２＋ｂ１」を得る。そして、この連立方程式を解いて、係数ａ１，ｂ１を求める。
【００４７】
そして、設定器１４は、求められた係数を流量帯域Ａにおけるパラメータ設定データａ１，ｂ１としてガスメータ１０に送信する。ガスメータ１０の制御部３１は、通信インタフェース３９を介して、パラメータ設定データａ１，ｂ１を受信し、メモリ３２に格納する（ステップＳ１５）。
【００４８】
次に、全流量帯域に対する処理が完了したかどうかが判定される（ステップＳ１６）。このステップＳ１６で、全流量帯域に対する処理が完了していないことが判定されると、シーケンスはステップＳ１０に戻る。従って、次に、流量帯域Ｂに対する処理が行われる。この流量帯域Ｂに対する処理は、係数としてａ２及びｂ２が使用されることを除けば、上述した流量帯域Ａに対する処理と同じである。以下、流量帯域Ｃ、Ｄ、・・・に対する処理が順次実行され、ステップＳ１６において全流量帯域に対する処理が完了したことが判定されると、パラメータの設定処理は終了する。
【００４９】
以降は、ガスメータ１０は、流量センサ３３で検出された信号から流量帯域を求め、この求められた流量帯域のパラメータをメモリ３２から読み出して流量センサ３３で検出された信号で表される流量を、パラメータとしての一次式「Ｙ＝ａＸ＋ｂ」の係数ａ，ｂを用いて補正して表示器３８に表示し、また、通信インタフェース３９を介してセンタに送る。
【００５０】
なお、ステップＳ１４では、流量信号の値が基準流量信号の値と一致するようにパラメータを設定するように構成したが、流量信号の値と基準流量信号の値との差が所定範囲内であれば一致したと見なすように構成しても良い。
【００５１】
以上説明したように、第１の実施の形態に係るガスメータ用パラメータ自動設定システムによれば、設定器１４のスタートスイッチを押すだけで、設定器１４は、ガスメータ１０で計量されるガスの流量が基準流量計１３で測定されたガスの流量に近づくようにパラメータを設定し、設定されたパラメータがガスメータ１０のメモリ３２に記憶される。即ち、ガスメータ１０に搭載されている流量センサ３３に好適なパラメータが自動的に算出されてガスメータ１０に自動的に設定されるので、短時間でパラメータを設定できる。その結果、出荷のためのコストを低減できる。また、人手を介さないので、正確なパラメータを設定でき、作業ミスに起因する不具合の発生を防止できる。
【００５２】
（第２の実施の形態）
第２の実施の形態は、上述した第１の実施の形態における設定器１４の機能を、ガスメータ１０の内部の制御部３１に含んで構成したガスメータである。以下では、第１の実施の形態で説明した部分と同一又は相当部分には、第１の実施の形態で使用した符号と同じ符号を用いて説明を省略又は簡略化する。
【００５３】
図５は本発明の第２の実施の形態に係るガスメータ１０ａ及びこれを用いたガスメータ用パラメータ自動設定システムの構成を示すブロック図である。ガスメータ用パラメータ自動設定システムは、ガスメータ１０ａ、流量発生源１１、流量制御装置１２ａ及び基準流量計１３ａから構成されている。
【００５４】
ガスメータ１０ａは、制御部３１（図２参照）に、第１の実施の形態に係る設定器１４の機能を含んでいる。即ち、制御部３１は、流量信号の値が基準流量信号の値と一致するように各流量帯域毎にパラメータを設定し、このパラメータ設定データをメモリ３２に格納する。
【００５５】
また、ガスメータ１０ａは、通信インタフェース３９を用いて、流量制御装置１２ａ及び基準流量計１３ａとの間のデータの送受を行う。これらの構成以外は、第１の実施の形態に係るガスメータと同じである。
【００５６】
流量発生源１１は、第１の実施の形態におけるそれと同じである。流量制御装置１２ａ及び基準流量計１３ａは、通信機能を備えている点を除けば、第１の実施の形態におけるそれらと同じである。
【００５７】
即ち、流量制御装置１２ａは、ガスメータ１０ａの通信インタフェース３９から送られてくる制御信号を通信機能を用いて受信する。そして、受信した制御信号に応じて、流量発生源１１からガス流路２０を通って供給されるガスの流量を自動的に調整して出力する。また、基準流量計１３ａは、流量制御装置１２ａからガス流路２１を通って供給されるガスの流量を計測し、通信機能を用いてガスメータ１０ａの通信インタフェース３９に送る。
【００５８】
このように構成された第２の実施の形態に係るガスメータ１０ａは、ガスメータ用パラメータ自動設定システムとして使用される場合に、図５に示すように、流量制御装置１２ａ及び基準流量計１３ａに接続される。ガスメータ用パラメータ自動設定システムとしての動作は、図３及び図４を参照しながら既に説明した動作と同じであるので、ここでは説明を省略する。
【００５９】
第２の実施の形態に係るガスメータによれば、第１の実施の形態における設定器１４の機能をガスメータ自身に持たせたので、第１の実施の形態における作用及び効果に加え、パラメータの設定に使用する機器の数を減らすことができる。その結果、安価なシステムでガスメータにパラメータを設定できる。
【００６０】
（第３の実施の形態）
第３の実施の形態は、上述した第１の実施の形態に係るガスメータ用パラメータ自動設定システムにおいて、複数のガスメータに同時にパラメータを設定できるように構成したものである。以下では、第１の実施の形態で説明した部分と同一又は相当部分には、第１の実施の形態で使用した符号と同じ符号を用いて説明を省略又は簡略化する。
【００６１】
図６は第３の実施の形態に係るガスメータ用パラメータ自動設定システムの構成を示すブロック図である。ガスメータ用パラメータ自動設定システムは、複数のガスメータ１０１、１０２、１０３、・・・、流量発生源１１、流量制御装置１２、基準流量計１３及び設定器１４から構成されている。
【００６２】
複数のガスメータ１０１、１０２、１０３、・・・の各々の構成及び動作は、第１の実施の形態におけるガスメータ１０と同じである。ガス流路２１は、これら複数のガスメータ１０１、１０２、１０３、・・・を貫通するように接続されている。
【００６３】
流量発生源１１、流量制御装置１２及び基準流量計１３の構成及び動作は、第１の実施の形態におけるそれらと同じである。また、設定器１４は、複数のガスメータ１０１、１０２、１０３、・・・と通信することを除けば、第１の実施の形態のそれと同じである。
【００６４】
このように構成された第３の実施の形態に係るガスメータ用パラメータ自動設定システムの動作は、設定器１４が、複数のガスメータ１０１、１０２、１０３、・・・の各々に対して図３及び図４を参照しながら既に説明した動作を行うことを除けば、第１の実施の形態に係るガスメータ用パラメータ自動設定システムの動作と同じである。
【００６５】
第３の実施の形態に係るガスメータによれば、複数のガスメータに対して一度にパラメータを設定できるので、第１の実施の形態における作用及び効果に加え、更にパラメータの設定に要する時間を短縮できる。
【００６６】
【発明の効果】
以上詳述したように、本発明によれば、正確なパラメータを短時間且つ安価にガスメータに設定できるガスメータ用パラメータ自動設定システム及びガスメータを提供できる。
【図面の簡単な説明】
【図１】本発明の第１の実施の形態に係るガスメータ用パラメータ自動設定システムの構成を示すブロック図である。
【図２】本発明の第１の実施の形態で使用されるガスメータの構成を示すブロック図である。
【図３】本発明の第１の実施の形態に係るガスメータ用パラメータ自動設定システムにおける流量センサの非線形な出力特性の補正を説明するための図である。
【図４】本発明の第１の実施の形態に係るガスメータ用パラメータ自動設定システムの動作を示すフローチャートである。
【図５】本発明の第２の実施の形態に係るガスメータ及びこれを用いたガスメータ用パラメータ自動設定システムの構成を示すブロック図である。
【図６】本発明の第３の実施の形態に係るガスメータ用パラメータ自動設定システムの構成を示すブロック図である。
【図７】従来のガスメータ用パラメータ自動設定システムの構成を示すブロック図である。
【符号の説明】
１０，１０１，１０２，１０３  ガスメータ
１１  流量発生源
１２  流量制御装置
１３  基準流量計
１４  設定器
２０，２１  ガス流路
３１  制御部
３２  メモリ
３３  流量センサ
３４  圧力センサ
３５  感震器
３６  遮断部
３７  復帰スイッチ
３８  表示器
３９  通信インタフェース
【図１】
2004279126.tif 000003
【図２】
2004279126.tif 000004
【図３】
2004279126.tif 000005
【図４】
2004279126.tif 000006
【図５】
2004279126.tif 000007
【図６】
2004279126.tif 000008
【図７】
2004279126.tif 000009